【手続補正書】
【提出日】平成20年3月25日(2008.3.25)
【手続補正１】
【補正対象書類名】明細書
【補正対象項目名】発明の名称
【補正方法】変更
【補正の内容】
【発明の名称】動圧軸受装置、回転駆動装置および記録装置
【手続補正２】
【補正対象書類名】明細書
【補正対象項目名】特許請求の範囲
【補正方法】変更
【補正の内容】
【特許請求の範囲】
【請求項１】  固定支持体と回転基体との軸受間隙に流体を介在させ、流体の動圧によって、回転基体を回転自在に支持するためにこの回転基体のラジアル荷重を支持するラジアル軸受部を有する動圧軸受装置であって、回転基体の回転軸線に対して特定角度方向の部位において発生する動圧を、他の角度方向の部位において発生する動圧よりも高くして、この特定角度方向の部位における軸受剛性を、他の角度方向の部位における軸受剛性よりも高くすることを特徴とする動圧軸受装置。
【請求項２】  固定支持体と回転基体との軸受間隙に流体を介在させ、流体の動圧によって、回転基体を回転自在に支持するためにこの回転基体のスラスト荷重を支持するスラスト軸受部を有する動圧軸受装置であって、回転基体の回転軸線に対して特定角度方向の部位において発生する動圧を、他の角度方向の部位において発生する動圧よりも高くして、この特定角度方向の部位における軸受剛性を、他の角度方向の部位における軸受剛性よりも高くすることを特徴とする動圧軸受装置。
【請求項３】  特定角度方向の部位における軸受間隙が、他の角度方向の部位における軸受間隙よりも小さいことを特徴とする請求項１又は２のいずれかに記載の動圧軸受装置。
【請求項４】  周方向に一様な軸受間隙を有し、固定支持体に動圧を発生させるための動圧溝が形成され、特定角度方向の部位における動圧溝の深さが軸受間隙の寸法とほぼ同一に形成され、他の角度方向の部位における動圧溝の深さが軸受間隙の寸法と異なる寸法に形成されることを特徴とする請求項１又は２のいずれかに記載の動圧軸受装置。
【請求項５】  固定支持体に動圧を発生させるための動圧溝が形成され、特定角度方向の部位における動圧溝の占める面積が、他の角度方向の部位における動圧溝の占める面積よりも小さいことを特徴とする請求項１〜４のいずれかに記載の動圧軸受装置。
【請求項６】  固定支持体に、流体を屈曲領域に導いて動圧を発生させるためのＶ字状の動圧溝が形成され、特定角度方向の部位における動圧溝の屈曲角度が、他の角度方向の部位における動圧溝の屈曲角度よりも小さいことを特徴とする請求項１〜５のいずれかに記載の動圧軸受装置。
【請求項７】  固定支持体の軸受間隙に臨む表面は、特定角度方向の部位における表面粗さが、他の角度方向の部位における表面粗さよりも小さいことを特徴とする請求項１〜６のいずれかに記載の動圧軸受装置。
【請求項８】  固定支持体はスリーブ体と自然状態で円筒状であり且つスリーブ体の内径が楕円となるようにこのスリーブ体を保持する保持体とを有し、かつ回転基体はスリーブ体に挿通される軸体を有し、前記ラジアル軸受部はこれらスリーブ体と軸体とによって構成され、スリーブ体の内周面は、特定角度方向の部位における内径が、他の角度方向の部位における内径よりも小さい形状に形成され、軸体の外周面は、円筒状に形成されることを特徴とする請求項１記載の動圧軸受装置。
【請求項９】  固定支持体は軸体を有し、かつ回転基体は軸体が挿通されるスリーブ体を有し、前記ラジアル軸受部はこれらスリーブ体と軸体とによって構成され、軸体の外周面は、特定角度方向の部位における外径が、他の角度方向の部位における外径よりも大きい形状に形成され、スリーブ体の内周面は、円筒状に形成されることを特徴とする請求項１記載の動圧軸受装置。
【請求項１０】  請求項１〜９のいずれかに記載の動圧軸受装置は、記録媒体ディスクを回転駆動するための回転駆動装置に搭載され、
その特定角度方向は、記録媒体ディスクに対して情報の読取および書込のうち少なくともいずれか一方をするためのヘッドが走査する走査領域に向かう方向およびその回転軸線に対してその走査領域の反対方向であることを特徴とする動圧軸受装置。
【請求項１１】  請求項１〜９のいずれかに記載の動圧軸受装置であって、回転基体に記録媒体ディスクが固定され、その特定角度方向が、記録媒体ディスクに対して情報の読取および書込のうち少なくともいずれか一方をするためのヘッドが走査する走査領域に向かう方向および回転軸線に対してその走査領域の反対方向である動圧軸受装置と、動圧軸受装置の回転基体を回転軸線まわりに回転駆動する駆動源とを含むことを特徴とする回転駆動装置。
【請求項１２】  請求項１〜１０のいずれかに記載の動圧軸受装置と、動圧軸受装置の回転基体を回転軸線まわりに回転駆動する駆動源と動圧軸受装置の回転基体に固定される記録媒体ディスクと、特定角度方向の領域で記録媒体ディスクに沿って走査され、情報の読取および書込のうち少なくともいずれか一方をするためのヘッドとを含むことを特徴とする記録装置。
【手続補正３】
【補正対象書類名】明細書
【補正対象項目名】００１０
【補正方法】変更
【補正の内容】
【００１０】
【課題を解決するための手段】
本発明は、固定支持体と回転基体との軸受間隙に流体を介在させ、流体の動圧によって、回転基体を回転自在に支持する動圧軸受装置であって、回転基体の回転軸線に対して特定角度方向の部位において発生する動圧を、他の角度方向の部位において発生する動圧よりも高くして、この特定角度方向の部位における軸受剛性を、他の角度方向の部位における軸受剛性よりも高くすることを特徴とする動圧軸受装置である。
【手続補正４】
【補正対象書類名】明細書
【補正対象項目名】００１２
【補正方法】変更
【補正の内容】
【００１２】
本発明は、前記動圧を高くする部位は、ラジアル荷重を支持するためのラジアル軸受部に設けられることを特徴とする。
【手続補正５】
【補正対象書類名】明細書
【補正対象項目名】００１４
【補正方法】変更
【補正の内容】
【００１４】
本発明は、前記動圧を高くする部位は、スラスト荷重を支持するためのスラスト軸受部に設けられることを特徴とする。
【手続補正６】
【補正対象書類名】明細書
【補正対象項目名】００１６
【補正方法】変更
【補正の内容】
【００１６】
本発明は、特定角度方向の部位における軸受間隙が、他の角度方向の部位における軸受間隙よりも小さいことを特徴とする。
【手続補正７】
【補正対象書類名】明細書
【補正対象項目名】００１８
【補正方法】変更
【補正の内容】
【００１８】
本発明は、周方向に一様な軸受間隙を有し、固定支持体に動圧を発生させるための動圧溝が形成され、特定角度方向の部位における動圧溝の深さが軸受間隙の寸法とほぼ同一に形成され、他の角度方向の部位における動圧溝の深さが軸受間隙の寸法と異なる寸法に形成されることを特徴とする。
【手続補正８】
【補正対象書類名】明細書
【補正対象項目名】００２０
【補正方法】変更
【補正の内容】
【００２０】
本発明は、固定支持体に動圧を発生させるための動圧溝が形成され、特定角度方向の部位における動圧溝の占める面積が、他の角度方向の部位における動圧溝の占める面積よりも小さいことを特徴とする。
【手続補正９】
【補正対象書類名】明細書
【補正対象項目名】００２２
【補正方法】変更
【補正の内容】
【００２２】
本発明は、固定支持体に、流体を屈曲領域に導いて動圧を発生させるためのＶ字状の動圧溝が形成され、特定角度方向の部位における動圧溝の屈曲角度が、他の角度方向の部位における動圧溝の屈曲角度よりも小さいことを特徴とする。
【手続補正１０】
【補正対象書類名】明細書
【補正対象項目名】００２４
【補正方法】変更
【補正の内容】
【００２４】
本発明は、固定支持体の軸受間隙に臨む表面は、特定角度方向の部位における表面粗さが、他の角度方向の部位における表面粗さよりも小さいことを特徴とする。
【手続補正１１】
【補正対象書類名】明細書
【補正対象項目名】００２６
【補正方法】変更
【補正の内容】
【００２６】
本発明は、固定支持体はスリーブ体を有し、かつ回転基体はスリーブ体に挿通される軸体を有し、スリーブ体の内周面は、特定角度方向の部位における内径が、他の角度方向の部位における内径よりも小さい形状に形成され、軸体の外周面は、円筒状に形成されることを特徴とする。
【手続補正１２】
【補正対象書類名】明細書
【補正対象項目名】００２８
【補正方法】変更
【補正の内容】
【００２８】
本発明は、固定支持体は軸体を有し、かつ回転基体は軸体が挿通されるスリーブ体を有し、軸体の外周面は、特定角度方向の部位における外径が、他の角度方向の部位における外径よりも大きい形状に形成され、スリーブ体の内周面は、円筒状に形成されることを特徴とする。
【手続補正１３】
【補正対象書類名】明細書
【補正対象項目名】００３０
【補正方法】変更
【補正の内容】
【００３０】
本発明は、スリーブ体を外方から挟持する保持体を有し、スリーブ体は、自然状態で円筒状であり、保持体に挟持されて内径が楕円に変形された状態で保持されることを特徴とする。
【手続補正１４】
【補正対象書類名】明細書
【補正対象項目名】００３２
【補正方法】変更
【補正の内容】
【００３２】
本発明は、スリーブ体は、円筒状の素材にラジアル荷重を与えて内径が楕円に弾性変形させた状態で内周面が円筒状に切削された部材であることを特徴とする。
【手続補正１５】
【補正対象書類名】明細書
【補正対象項目名】００３４
【補正方法】変更
【補正の内容】
【００３４】
本発明は、記録媒体ディスクを回転駆動するための回転駆動装置に搭載され、特定角度方向は、記録媒体ディスクに対して情報の読取および書込のうち少なくともいずれか一方をするためのヘッドが走査する領域に向かう方向およびその反対方向であることを特徴とする動圧軸受装置である。
【手続補正１６】
【補正対象書類名】明細書
【補正対象項目名】００３６
【補正方法】変更
【補正の内容】
【００３６】
本発明は、上記いずれかに記載の動圧軸受装置であって、回転基体に記録媒体ディスクが固定され、特定角度方向が、記録媒体ディスクに対して情報の読取および書込のうち少なくともいずれか一方をするためのヘッドが走査する領域に向かう方向およびその反対方向である動圧軸受装置と、動圧軸受装置の回転基体を回転軸線まわりに回転駆動する駆動源とを含むことを特徴とする回転駆動装置である。
【手続補正１７】
【補正対象書類名】明細書
【補正対象項目名】００３８
【補正方法】変更
【補正の内容】
【００３８】
本発明は、上記いずれかに記載の動圧軸受装置と、動圧軸受装置の回転基体を回転軸線まわりに回転駆動する駆動源と動圧軸受装置の回転基体に固定される記録媒体ディスクと、特定角度方向の領域で記録媒体ディスクに沿って走査され、情報の読取および書込のうち少なくともいずれか一方をするためのヘッドとを含むことを特徴とする記録装置である。
【手続補正１８】
【補正対象書類名】明細書
【補正対象項目名】００４０
【補正方法】変更
【補正の内容】
【００４０】
本発明は、楕円状内周面を有するスリーブ体と、円筒状外周面を有しスリーブ体に挿通される軸体との軸受間隙に流体を介在され、スリーブ体の内周面および軸体の外周面の少なくともいずれか一方に形成される動圧溝によって発生する動圧によって、軸体を回転自在に支持する動圧軸受装置の製造方法であって、円筒状のスリーブ素材に一直径線方向に荷重を与えて内周面を楕円に弾性変形させた状態でその内周面を真円に切削加工し、一直径線方向の荷重を除去して、スリーブ体を形成し、スリーブ体の内周面および軸体の外周面の少なくともいずれか一方に動圧溝を形成してなる動圧軸受装置の製造方法である。
【手続補正１９】
【補正対象書類名】明細書
【補正対象項目名】０１０６
【補正方法】変更
【補正の内容】
【０１０６】
【発明の効果】
本発明によれば、特定角度方向の部位における軸受剛性を高くして、特定角度方向へ向かう外力が作用しても、この外力が作用しない状態と同様の好適な状態で、回転基体を回転させることができる。したがって特定角度方向へ向かう外力が作用しても、回転基体の安定した回転を実現することができる。
【手続補正２０】
【補正対象書類名】明細書
【補正対象項目名】０１０７
【補正方法】変更
【補正の内容】
【０１０７】
本発明によれば、特定方向への外力に対して、回転基体のスライド変位を確実に防止し、振回り防止効果も同時に達成することができる。また起動時に、ラジアル軸受部における動圧が迅速に高くなるので、回転軸線を水平またはほぼ水平に配置して設けられる場合に、迅速かつ円滑な軌道を実現することができる。
【手続補正２１】
【補正対象書類名】明細書
【補正対象項目名】０１０８
【補正方法】変更
【補正の内容】
【０１０８】
本発明によれば、特定方向への外力に対して、回転基体の傾転を確実に防止することができる。起動時に、スラスト軸受部における動圧が迅速に高くなるので、回転軸線を鉛直またはほぼ鉛直に配置して設けられる場合に、迅速かつ円滑な軌道を実現することができる。
【手続補正２２】
【補正対象書類名】明細書
【補正対象項目名】０１０９
【補正方法】変更
【補正の内容】
【０１０９】
本発明によれば、軸受間隙を変化させるだけで、特定角度方向の部位における軸受剛性を高くすることができるので、簡単な構成で特定角度方向の軸受剛性を高くすることができる。
【手続補正２３】
【補正対象書類名】明細書
【補正対象項目名】０１１０
【補正方法】変更
【補正の内容】
【０１１０】
本発明によれば、動圧溝の深さを変化させて、特定角度方向の部位における軸受剛性を高くすることができるので、軸受間隙を周方向で均一にすることが可能である。このように軸受間隙を周方向で均一にすれば、固定支持体による回転基体の回転の案内性が良好になり、安定した回転を実現することができる。
【手続補正２４】
【補正対象書類名】明細書
【補正対象項目名】０１１１
【補正方法】変更
【補正の内容】
【０１１１】
本発明によれば、動圧溝の占める面積を変化させて、特定角度方向の部位における軸受剛性を高くすることができるので、軸受間隙を周方向で均一にすることが可能である。このように軸受間隙を周方向で均一にすれば、固定支持体による回転基体の回転の案内性が良好になり、安定した回転を実現することができる。
【手続補正２５】
【補正対象書類名】明細書
【補正対象項目名】０１１２
【補正方法】変更
【補正の内容】
【０１１２】
本発明によれば、動圧溝の屈曲角度を変化させて、特定角度方向の部位における軸受剛性を高くすることができるので、軸受間隙を周方向で均一にすることが可能である。このように軸受間隙を周方向で均一にすれば、固定支持体による回転基体の回転の案内性が良好になり、安定した回転を実現することができる。
【手続補正２６】
【補正対象書類名】明細書
【補正対象項目名】０１１３
【補正方法】変更
【補正の内容】
【０１１３】
本発明によれば、表面粗さを変化させて、特定角度方向の部位における軸受剛性を高くすることができるので、軸受間隙を周方向で均一にすることが可能である。このように軸受間隙を周方向で均一にすれば、固定支持体による回転基体の回転の案内性が良好になり、安定した回転を実現することができる。
【手続補正２７】
【補正対象書類名】明細書
【補正対象項目名】０１１４
【補正方法】変更
【補正の内容】
【０１１４】
本発明によれば、スリーブ体の内径を変化させるだけで、軸受間隙を変化させ、簡単な構成で特定角度方向の軸受剛性を高くすることができる。さらに回転する軸体は、外周面が周方向に均一であり、重量バランスが良好であって、安定した回転を実現することができる。
【手続補正２８】
【補正対象書類名】明細書
【補正対象項目名】０１１５
【補正方法】変更
【補正の内容】
【０１１５】
本発明によれば、軸体の外径を変化させるだけで、軸受間隙を変化させ、簡単な構成で特定角度方向の軸受剛性を高くすることができる。さらに回転する回転基体は、内周面が周方向に均一であり、重量バランスが良好であって、安定した回転を実現することができる。
【手続補正２９】
【補正対象書類名】明細書
【補正対象項目名】０１１６
【補正方法】変更
【補正の内容】
【０１１６】
本発明によれば、スリーブ体の内周面は、周方向全周にわたって滑らかに連なる曲面であって、軸受間隙に介在される流体の周方向への円滑な移動を実現し、安定した動圧の発生を実現して安定した回転を実現することができる。
【手続補正３０】
【補正対象書類名】明細書
【補正対象項目名】０１１７
【補正方法】変更
【補正の内容】
【０１１７】
本発明によれば、スリーブ体の内周面は、周方向全周にわたって滑らかに連なる曲面であって、軸受間隙に介在される流体の周方向への円滑な移動を実現し、安定した動圧の発生を実現して安定した回転を実現することができる。
【手続補正３１】
【補正対象書類名】明細書
【補正対象項目名】０１１８
【補正方法】変更
【補正の内容】
【０１１８】
本発明によれば、記録媒体ディスクの回転に伴う空気流によって、ヘッドが走査される領域が押圧されても、この外力に抗して、記録媒体ディスクが傾転してしまうことを防ぐことができる。
【手続補正３２】
【補正対象書類名】明細書
【補正対象項目名】０１１９
【補正方法】変更
【補正の内容】
【０１１９】
本発明によれば、外力に抗して、記録媒体ディスクが傾転してしまうことを防ぐことができる。このような記録媒体ディスクの傾転を防止した状態で、駆動源によって記録媒体ディスクを安定して回転することができる。
【手続補正３３】
【補正対象書類名】明細書
【補正対象項目名】０１２０
【補正方法】変更
【補正の内容】
【０１２０】
本発明によれば、記録媒体ディスクの傾転を防止した状態で、駆動源によって記録媒体ディスクを安定して回転することができる。このように記録装置は、記録媒体ディスクの安定した回転を実現することができ、ヘッドが情報を読取るためのヘッドであれば、高密度に記録された情報を読取ることができ、ヘッドが情報を書込むためのヘッドであれば、高密度に情報を書込むことができる。
【手続補正３４】
【補正対象書類名】明細書
【補正対象項目名】０１２１
【補正方法】変更
【補正の内容】
【０１２１】
本発明によれば、円筒状に切削する簡単な切削加工によって、特定角度方向の内径が、他の角度方向の内径よりも小さいスリーブ体であって、内周面が滑らかに連なるスリーブ体を形成することができ、特定角度方向の軸受剛性を高くすることができる動圧軸受装置を容易に形成することができる。